(57)【要約】【課題】  メモリカードの画像データの管理を簡単にした画像表示装置、並びにそれを搭載したテレビ受信装置及び電子機器を提供する。【解決手段】  画像を表示する表示デバイス１６、画像データ及びその画像データについて処理情報が格納される情報ファイルを有するメモリカード３０が装着されると、メモリカード３０の画像データを情報ファイルの処理情報に応じた表示態様で表示させる制御手段１１とを備えたものであり、例えば未表示の画像データがあるとそれを優先して表示させる。【選択図】        図１
2006339822.tif 000002
【特許請求の範囲】
【請求項１】
画像を表示する表示装置と、
画像データ及びその画像データについて処理情報が格納される情報ファイルを有するメモリカードが装着されると、前記メモリカードの画像データを前記情報ファイルの処理情報に応じた表示態様で表示させる制御手段と
を備えたことを特徴とする画像表示装置。
【請求項２】
前記制御手段は、前記画像データを前記表示装置に表示させると、前記画像データが表示済であることを前記情報ファイルに書き込ませることを特徴とする請求項１記載の画像表示装置。
【請求項３】
前記制御手段は、前記情報ファイルを参照して、未表示である前記画像データを優先して前記表示装置に表示させることを特徴とする請求項１又は２記載の画像表示装置。
【請求項４】
前記制御手段は、未表示である前記画像データを優先して前記表示装置に一覧表示させることを特徴とする請求項３記載の画像表示装置。
【請求項５】
印刷処理する印刷手段を備え、
前記制御手段は、前記画像データを前記印刷手段に出力して印刷処理をさせると、当該画像データが印刷済であることを前記情報ファイルに書き込ませることを特徴とする請求項１〜４の何れかに記載の画像表示装置。
【請求項６】
前記制御手段は、前記情報ファイルを参照して、印刷済の画像データがあると、当該画像データを未印刷の画像データと識別可能に前記表示装置に表示させることを特徴とする請求項１〜５の何れかに記載の画像表示装置。
【請求項７】
前記制御手段は、印刷済の画像データの画像を太枠内に表示させることを特徴とする請求項６記載の画像表示装置。
【請求項８】
請求項１〜７の何れかに記載の画像表示装置を内蔵したことを特徴とするテレビ受信装置。
【請求項９】
請求項１〜７の何れかに記載の画像表示装置を内蔵したことを特徴とする電子機器。
【発明の詳細な説明】
【技術分野】
【０００１】
本発明は、画像表示装置、テレビ受信装置及び電子機器に関し、特にメモリカードに格納された画像の表示に関する。
【背景技術】
【０００２】
近年のテレビ受信装置は、デジタルカメラのメモリカードを装着するためのスロットを備え、メモリカードに格納された画像を大画面で見られるようにしたものがあり、例えば画像データを蓄積し、管理できるようにしたテレビ受像機が提案されている（例えば特許文献１参照）。
【特許文献１】特開２０００−３５４２２７号公報
【発明の開示】
【発明が解決しようとする課題】
【０００３】
しかしながら、メモリカードの容量が大きく、たくさんの画像を保存できるようになると、新規に撮影した画像を探すのが大変であった。このことは、特許文献１において提案されているテレビ受像機においても同様であった。
【０００４】
本発明は、このような問題点を解決するためになされたものであり、メモリカードの画像データの管理を簡単にした画像表示装置、並びにそれを搭載したテレビ受信装置及び電子機器を提供することを目的とする。
【課題を解決するための手段】
【０００５】
本発明に係る画像表示装置は、画像を表示する表示装置と、画像データ及びその画像データについて処理情報が格納される情報ファイルを有するメモリカードが装着されると、前記メモリカードの画像データを前記情報ファイルの処理情報に応じた表示態様で表示させる制御手段とを備えたものである。本発明においては、メモリカードの画像データを情報ファイルの処理情報に応じた表示態様で表示させるようにしており、例えば未表示、未印刷等の処理態様に応じて画像が表示されるので、メモリカードの画像データの管理が簡単なものとなっている。
【０００６】
本発明に係る画像表示装置において、前記制御手段は、前記画像データを前記表示装置に表示させると、前記画像データが表示済であることを前記情報ファイルに書き込ませる。本発明においては、情報ファイルに画像データの処理内容が書き込まれるので、その処理内容に応じた表示が可能になっている。
【０００７】
本発明に係る画像表示装置において、前記制御手段は、前記情報ファイルを参照して、未表示の前記画像データを優先して前記表示装置に表示させる。本発明においては、未表示の前記画像データを優先して表示させるので、新規に撮影した画像を探すのが簡単なものとなっている。
【０００８】
本発明に係る画像表示装置において、未表示の前記画像データを優先して前記表示装置に一覧表示させる。
【０００９】
本発明に係る画像表示装置は、印刷処理する印刷手段を備え、前記制御手段は、前記画像データを前記印刷手段に出力して印刷処理をさせると、当該画像データが印刷済であることを前記情報ファイルに書き込ませる。
【００１０】
本発明に係る画像表示装置において、前記制御手段は、前記情報ファイルを参照して、印刷済の画像データがあると、当該画像データを未印刷の画像データと識別可能に前記表示装置に表示させる。本発明においては、印刷済の画像と未印刷の画像とが識別されて表示されるので、同じ画像を誤って２度印刷するような事態が避けられる。
【００１１】
本発明に係る画像表示装置において、前記制御手段は、印刷済の画像データの画像を太枠内に表示させる。
【００１２】
本発明に係るテレビ受信装置は、上記の画像表示装置を搭載したものである。
また、本発明に係る電子機器は、上記の画像表示装置を搭載したものである。
【発明を実施するための最良の形態】
【００１３】
実施形態１．
図１は本発明の実施形態１に係るテレビ受信装置の構成を示すブロック図である。このテレビ受信装置は、制御部１１、操作部１２、チューナー１３、映像音声処理部１４、表示出力部１５、表示デバイス１６、音声出力部１７、スピーカー１８、メモリカードスロット１９、カードＲ／Ｗ処理部２０、画像デコード部２１、写真画像処理部２２、情報ファイル読込保存部２３及びプリンタ２４を備えている。なお、プリンタ２４は内蔵又は外付けの何れであってもよい。
【００１４】
図１のテレビ受信装置において、ユーザーが操作部１２を操作して見たいチャンネルを選択すると、そのチャンネルに相当する選局信号が発生し、制御部１１はその選局信号を受信し、チューナー１３に選局信号を出力することによりチューナー１３でその選局信号に対応したチャンネルが設定される。例えばこのテレビ受信装置がデジタル放送を受信するものである場合には、アンテナ（図示せず）は、周波数変換器を備えており、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナー１３に出力する。チューナー１３は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。映像音声処理部１４は、例えばデマルチプレクサ（ＤＥＭＵＸ）、ビデオデコーダ、描画処理回路、オーディオデコーダ等を内蔵している（何れも図示せず）。デマルチプレクサ（ＤＥＭＵＸ）は、ＭＰＥＧ２（Ｍｏｖｉｎｇ Ｐｉｃｔｕｒｅ Ｅｘｐｅｒｔｓ Ｇｒｏｕｐ２）トランスポート・ストリームを、ビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離する。ビデオデコーダは、ビデオストリームの可変長符号を復号して量子化係数や動きベクトルを求め、逆ＤＣＴ変換や動きベクトルに基づく動き補償制御等を行って描画処理回路に出力する。描画処理回路は、例えば後段の表示デバイス１６の解像度に応じてリサイズ等の処理をし、例えばフレーム画像を展開し、フレーム画像信号を表示出力部１５に出力する。表示出力部１５は映像音声処理部１４からの映像信号を受け取ってＤ／Ａ変換を行い、例えばコンポジット映像信号に変換して表示デバイス１６に出力し、表示デバイス１６はその映像信号によるテレビ映像を表示する。
【００１５】
また、映像音声処理部１４は、内蔵しているオーディオデコーダ等によりオーディオストリームの符号化信号を復号して音声信号（音声データ）を生成し、更に、その音声信号をＤ／Ａ変換し、例えば２ｃｈ出力であれば、右（Ｒ）音のアナログ信号及び左（Ｌ）音のアナログ信号を生成して音声出力部１７に出力する。音声出力部１７は右（Ｒ）音及び左（Ｌ）音のアナログ信号を増幅してスピーカー１８に出力し、スピーカー１８から音声が得られる。
【００１６】
以上のようにして、図１のテレビ受信装置は、ユーザーが操作部１２を操作して選択されたチャンネルのテレビ映像（番組視聴画面）が表示デバイス１６に表示され、スピーカー１８からそのチャンネルの音声が得られている。
【００１７】
また、図１のテレビ受信装置は、メモリカードスロット１９にメモリカード３０が挿入されると、カードＲ／Ｗ処理部２０がメモリカード３０に格納されている画像データを読み込んで画像デコード部２１に出力する。画像デコード部２１は例えばＪＰＥＧでエンコードされている画像データをデコードし、写真画像処理部２２に出力する。写真画像処理部２２は、画像デコード部２１でデコードされた画像データを写真画像として表示するための処理を施して制御部１１に出力する。制御部１１はその画像データを表示出力部１５を介して表示デバイス１６に出力し、表示デバイス１６に画像を表示させる。また、このとき、情報ファイル読込保存部２３はカードＲ／Ｗ処理部２０を介してメモリカード３０の表示情報を読み込んで保存し、制御部１１に出力する。制御部１１はメモリカード３０の表示情報に基づいて表示デバイス１６に画像を表示させるために表示態様を適宜変更する。この表示態様の具体例を図２〜図５に基づいて説明する。
【００１８】
図２はカード装着時の処理を示したフローチャートである。メモリカード３０がメモリカードスロット１９に装着されると、カードＲ／Ｗ処理部２０がそれを検出し（Ｓ１１）、情報ファイル読込保存部２３はカードＲ／Ｗ処理部２０を介してメモリカード３０のデータを読み込んで、それには情報ファイルが有るかどうかを判定し（Ｓ１２）、情報ファイルがないという判定がなされた場合には情報ファイルを新規に作成する（Ｓ１３）。メモリカード３０を図１のテレビ受信装置に初めて装着する場合には、この段階で情報ファイルを作成することになる。情報ファイルが有るという判定がなされた場合には、情報ファイルに含まれる表示情報を読み込んで保存するとともに制御部１１に出力する（Ｓ１４）。
【００１９】
制御部１１は、情報ファイルに含まれる表示情報に基づいて未表示画像があるかどうかを判定し（Ｓ１５）、未表示画像がある場合には未表示画像を先頭にして一覧表示をする（Ｓ１６）。即ち、制御部１１は表示出力部１５に対して未表示画像が先頭側になるように画像データの配置を指示する。また、未表示画像がない場合には最新の画像を優先して一覧表示をする（Ｓ１７）。そして、制御部１１は情報ファイル読込保存部２３及びカードＲ／Ｗ処理部２０を介してメモリカード３０の情報ファイルを更新する（Ｓ１８）。例えば初めて表示される画像データには表示済の情報を、表示済の画像データには例えば表示回数を書き込む。      
【００２０】
図３は図２の一覧表示の処理（Ｓ１６，Ｓ１７）の詳細を示したフローチャートである。制御部１１は、情報ファイル読込保存部２３に保存されているメモリカードの情報ファイルに含まれる印刷済情報を読込んで（Ｓ２１）、該当する画像データが印刷済であるかどうかを判定し（Ｓ２２）、印刷済である場合には、該当する画像データに印刷済マークを表示して表示デバイス１６に表示させるようにする（Ｓ２３）。そして、全ての画像が表示されるまでその処理を繰り返す（Ｓ２４）。
【００２１】
図４は印刷処理をするときのフローチャートである。制御部１１は、操作部１２により印刷処理する操作信号を入力するとともに、印刷対象の画像が選択されると（Ｓ３１）、選択された画像の画像データ（デジタルＲＧＢデータ）を例えばＣＭＹＫデータ（ラスターデータ）に変換して、その変換された画像データをプリンタ２４に出力し（Ｓ３２）、プリンタ２４はその変換された画像データに基づいて印刷処理をする。そして、該当する画像の画像データについて印刷済であることを示すデータを書き込んでメモリカード３０の情報ファイルを更新する（Ｓ３３）。
【００２２】
図５はデジタルカメラにより撮影された画像とテレビ受信装置の表示デバイス１６の一覧表示との関係を示した説明図である。ここで、例えばデジタルカメラ３１で１／１〜１／１４まで撮影して、そのメモリカード３０をテレビ受信装置に装着したとすると、その間に撮影された画像は、初めて表示デバイス１６に表示されることになるので、未表示画像に相当し、１／１〜１／１４の順位に画像が表示されることになる（同図（ａ）参照）。このように画像が表示されると、その画像についての情報ファイルに表示済であることを示す情報が書き込まれる（Ｓ１８）。この状態で、例えば１／１２の画像を印刷すると、その画像についての情報ファイルに印刷済であることを示す情報が書き込まれる（Ｓ３３）。
【００２３】
更に、デジタルカメラ３１で１／１６〜１／２０まで撮影して同じメモリカード３０に格納した後に、そのメモリカード３０をテレビ受信装置に装着したとすると、その間に撮影された画像は、初めて表示デバイス１６に表示されることになるので、未表示画像に相当し、１／１６〜１／２０の順位に画像が表示されることになる（同図（ｂ）参照）。このように画像が表示されると、その画像についての情報ファイルに表示済であることを示す情報が書き込まれる（Ｓ１８）。この状態で、操作部１２を操作して前ページを表示させると、１／１６〜１／２０の画像が表示される。その画像の内、印刷処理された１／１２の画像については印刷済であることを示す太枠が表示される（Ｓ２３）。
【００２４】
以上のように本実施形態１においては、メモリカード３０の画像データを情報ファイルの処理情報に応じた表示態様で表示させるようにしており、例えば未表示の画像データがあるとそれ優先して表示しており、また、印刷済の画像データがあると、当該画像データの画像を太枠内に表示するようにしており、メモリカード３０の画像データの管理が簡単なものとなっている。
【００２５】
実施形態２．
なお、上記の実施形態１においては、画像を一覧表示する例について説明したが、各画像を個別に表示するようにしてもよい。その場合においても、未表示の画像を優先して表示させるものとする。また、印刷済であることを示すものとして太枠の例を示したが、枠の色を変える等の他の処理をしてもよい。
【００２６】
また、上記の実施形態１においては、デジタル放送のテレビ受信装置の例について説明したが、アナログ放送のものであってもよく、また、テレビ受信装置に限らず、例えばメモリカードスロット付録画装置等の電子機器においても同様に適用することができる。この場合には、テレビ受信装置等の表示装置を接続して、メモリカードに格納された画像データの画像を見ることができる。また、携帯電話、ＰＤＡ（Personal Digital Assistant）等の電子機器においても本発明は同様に適用することができる。
【図面の簡単な説明】
【００２７】
【図１】本発明の実施形態１に係るテレビ受信装置の構成を示すブロック図。
【図２】カード装着時の処理過程を示したフローチャート。
【図３】一覧表示をする際の処理過程を示したフローチャート。
【図４】選択画像を印刷する際の処理過程を示したフローチャート。
【図５】撮影画像と表示デバイスによる一覧表示との関係を示した説明図。
【符号の説明】
【００２８】
１１ 制御部、１２ 操作部、１３ チューナー、１４ 映像音声処理部、１５ 表示出力部、１６ 表示デバイス、１７ 音声出力部、１８ スピーカー、１９ メモリカードスロット、２０ カードＲ／Ｗ処理部、２１ 画像デコード部、２２ 写真画像処理部、２３ 情報ファイル読込保存部、２４ プリンタ、３０ メモリカード、３１ デジタルカメラ。
【図１】
2006339822.tif 000003
【図２】
2006339822.tif 000004
【図３】
2006339822.tif 000005
【図４】
2006339822.tif 000006
【図５】
2006339822.tif 000007